(57)【特許請求の範囲】
【請求項１】
光学系と、
前記光学系を介して入力された被写体像を画像処理する画像処理手段と、
前記画像処理された撮影データを記憶するメモリと、
前記メモリに記憶された撮影データをネットワークを介して所定の撮影データ保存装置へ送信する送信手段と、
前記光学系、画像処理手段、およびメモリを内蔵する筐体と、
フォトトランジスタで外光を検知することにより前記筐体が分解されたことを検出する検出手段と、
前記検出手段において前記筐体が分解されたことを検出すると、前記送信手段において、前記撮影データと共に、その旨を示す信号を前記ネットワークを介して前記撮影データ保存装置へ送信する処理を行う制御手段とを含む、デジタルカメラ。
【請求項２】
前記デジタルカメラごとに異なるアクセスデータを用いて、前記ネットワークを介して前記撮影データ保存装置にアクセスすることにより、前記撮影データ保存装置に保存された前記撮影画像を閲覧することができ、
前記信号は、前記撮影画像の閲覧時に警告を発するために用いられる信号である、請求項１に記載のデジタルカメラ。
【発明の詳細な説明】
【０００１】
【発明の属する技術分野】
この発明はデジタルカメラに関し、特に、回収して再利用可能なデジタルカメラに関する。
【０００２】
【従来の技術】
画像の撮影手段として、銀塩式のアナログカメラが従来から提供されている。このようなアナログカメラとしては、レンズ付フィルムという安価な方式のカメラが商品化されている。
【０００３】
近年これに対してデジタルカメラが商品化されている。デジタルカメラで撮影した画像はデジタルデータとして保管できるため、これを用いて画像を加工したり、インターネットのようなネットワークを利用して画像を相互に送ることができるため、デジタルカメラのニーズは広がりつつある。
【０００４】
【発明が解決しようとする課題】
上記のような理由でデジタルカメラが最近ポピュラーになってきたとはいえ、アナログカメラと同程度の高画質を得るためには画素数の多いデジタルカメラが必要である。しかしながら、画素数の多いデジタルカメラは一般に高価なため、一般のユーザが容易にデジタルカメラを利用することができない。
【０００５】
そこで、このようなデジタルカメラをだれもが安価に楽しむことができるようにするため、繰り返し再利用可能に構成することが考えられる。そのような場合に、ユーザがデジタルカメラを勝手に分解したり、不正に用いたりすると再利用が困難になる場合が生じる。
【０００６】
この発明は上記のような問題点を解消するためになされたもので、不正使用の防止が可能なデジタルカメラを提供することを目的とする。
【０００７】
【課題を解決するための手段】
この発明にかかるデジタルカメラは光学系と、光学系を介して入力された被写体像を画像処理する手段と、画像処理された撮影データを記憶するメモリと、メモリに記憶された撮影データをネットワークを介して所定の撮影データ保存装置へ送信する送信手段と、光学系、画像処理手段、およびメモリを内蔵する筐体と、フォトトランジスタで外光を検知することにより筐体が分解されたことを検出する検出手段と、検出手段において筐体が分解されたことを検出すると、送信手段において、撮影データと共に、その旨を示す信号をネットワークを介して撮影データ保存装置へ送信する処理を行う制御手段とを含む。
【０００８】
デジタルカメラの要部を内蔵する筐体が分解されたときは、所定の処理が行われるため、ユーザはあえてデジタルカメラの不正な分解を行おうとはしない。その結果、不正な使用を防止できるデジタルカメラが提供できる。
【００１０】
さらに好ましくは、デジタルカメラごとに異なるアクセスデータを用いて、ネットワークを介して撮影データ保存装置にアクセスすることにより、撮影データ保存装置に保存された撮影画像を閲覧することができる。信号は、撮影画像の閲覧時に警告を発するために用いられる信号である。
【００１１】
撮影データ保存装置に保存された撮影画像の閲覧時に警告が発せられるため、ユーザは次回からは不正な使用をしなくなる。
【００２０】
【発明の実施の形態】
以下この発明の一実施の形態を図面を参照して説明する。
【００２１】
図１はこの発明の一実施の形態に係る、回収システムに適したデジタルカメラ１０の外観を示す模式図である。（Ａ）はデジタルカメラの前面斜視図であり、（Ｂ）は後面斜視図である。図１（Ａ）を参照して、デジタルカメラ１０は、カメラ本体１０ａと、カメラ本体１０ａを覆う外装部１０ｂとからなる。図１（Ａ）を参照して、外装部１０ａの前面には観光地の地名等の宣伝が表示されてもよい。
【００２２】
この発明においては、デジタルカメラ１０で撮影した画像は、後に詳細に説明するように、デジタルカメラ１０の返却後、インターネット等のネットワークを介して予め定められたＵＲＬにアクセスして閲覧する。
【００２３】
図１（Ｂ）を参照して、デジタルカメラ１０の背面には、デジタルカメラ１０で撮影した画像にアクセスするためのＵＲＬ（Ｕｎｉｆｏｒｍ  Ｒｅｓｏｕｒｃｅ  Ｌｏｃａｔｏｒ）およびパスワード２７が表示されている。なおここでパスワード２７はデジタルカメラ１０ごとに異なっており、たとえばスクラッチカード方式のように、目視不可能な状態でデジタルカメラ１０ｂの外装部に記録されている。このパスワードが記憶されたスクラッチ部分は２枚複写形式としても良い。こうすれば、１枚はユーザがデジタルカメラ１を返却した場合にユーザが控えとして保管し、残りはデジタルカメラ１０に添付された状態で、後に説明する、デジタルカメラ１０の回収側の控えとして利用できる。
【００２４】
なお、デジタルカメラ１０の外装部１０ｂの上部には、カメラの分解の禁止を促す印刷を表示してもよい。これは、後で説明するように、デジタルカメラ１０を分解すると内蔵されたメモリ１８の記憶内容が消去される等の処理が行われるため、これを防止するために表示する。
【００２５】
図２は図１に示したデジタルカメラ１０の内部構成を示す模式図である。図２（Ａ）は正面図であり、（Ｂ）は（Ａ）において、ＩＩＢ−ＩＩＢで示す部分の断面図である。図２を参照して、デジタルカメラ１０は、被写体を撮影するためのレンズ１１と、被写体撮影時に被写体を確認するためのファインダ２４と、シャッタ１６と、デジタルカメラ１０が分解されたか否かを光の入射によって検知するためのフォトトランジスタ１７と、撮影した画像を記憶するフラッシュメモリ１８と、デジタルカメラ１０の駆動源となるバッテリ２０とを含む。外装部１０ｂを除去するとバッテリ２０は容易に取出し、交換が可能である。デジタルカメラ１０には、後に説明する伝送端末１９が設けられている。
【００２６】
図３はデジタルカメラ１０の外観を示す模式図である。図３（Ａ）はデジタルカメラの本体１０ａの正面図であり、（Ｂ）は図３（Ａ）のＩＩＩＢ−ＩＩＩＢで示す左側面図であり、（Ｃ）は図３（Ａ）のＩＩＩＣ−ＩＩＩＣで示す右側面図である。デジタルカメラ１０はレンズ１１が設けられた上キャビネット２２と上記したＵＲＬ等が表示された下キャビネット２３とが係合して構成されている。デジタルカメラ本体１０ａの右側面には、デジタルカメラ１０の動作を開始するメインスイッチ１５と、伝送端末１９とが設けられる。
【００２７】
図４はデジタルカメラ１０の要部を示すブロック図である。図４を参照して、デジタルカメラ１０はレンズ１１を介して入射された被写体像を撮影するＣＣＤ１２と、ＣＣＤ１２に接続され、撮影した画像データを処理する画像処理部１３と、デジタルカメラ１０全体を制御する制御部１４と、シャッタ１６と、フォトトランジスタ１７と、上記したメインスイッチ１５、メモリ１８、伝送端末１９とを含む。
【００２８】
ここで、ＣＣＤ１２の画素数は６８万画素であり、メモリ１８は４ＭＢのフラッシュメモリであるが、デジタルカメラ１０の仕様はこれに限るものではなく、所望の仕様としてもよい。
【００２９】
次にデジタルカメラ１０の制御の流れについて説明する。まず、メインスイッチ１５がオンされるとデジタルカメラ１０はスタンドバイモードになる。スタンドバイモードは、画像入手可能な状態に画像入手に必要なＣＣＣ１２、シャッタ１６、画像処理部１３、メモリ１８および制御部１４にバッテリ２０から電源が供給される。この状態でシャッタ１６がオンされると画像の撮影が実行される。
【００３０】
撮影時には、図示のない被写体からレンズ１１、ＣＣＤ１２、画像処理部１３、制御部１４を介してメモリ１８に撮影画像データが記録される。メモリ１８への記録時には、ＪＰＥＧ圧縮された画像が保管される。
【００３１】
図５はこの発明に係るデジタルカメラ１０の流通・サービスシステムを説明するための模式図である。図５を参照して、実線はデジタルカメラ１０の流れを示し、点線はユーザが撮影した画像データの流れを示す。
【００３２】
図５を参照して、ユーザ２００たとえば、コンビニエンスストア等のデジタルカメラ１０の販売店３００へ行ってデジタルカメラ１０を購入する。ここで販売店３００は複数設けられるものとする。ユーザ２００はデジタルカメラ１０で撮影を行った後、デジタルカメラ１０を購入した、または他のコンビニエンスストア等の販売店３００へデジタルカメラ１０を返却する。このとき、ユーザ２００はデジタルカメラ１０の外装部１０ｂの裏面にある、撮影した画像が公開されるアドレスとパスワードが記載された表示部の控えを受取る。返却されたデジタルカメラ１０は、集配センタ３５０に回収される。回収されたデジタルカメラ１０は外装部１０ｂが除去され、集配センタ３５０の伝送端末に電気的に接続され、撮影された内容の画像データは画像ステーション５０のサーバへ送られる。この画像ステーション５０はたとえばシャープ株式会社のインターネット上のホームページであるシャープスペースタウン（以下、ＳＳＴと略す）であっても良い。
【００３３】
なお、画像ステーション５０は予め定められた所定の通信プロトコルで画像データを受信できるよう設定されているものとする。
【００３４】
正規の集配センタ３５０から画像データが送信されるときは、通信プロトコルは正しいので、送信時に、後で説明する、不正接続等のフラグは立たない。ユーザはＳＳＴのような画像ステーション５０で、後述するサービスを受けることができ、撮影した画像が閲覧、ダウンロードできる。
【００３５】
画像が伝送されたデジタルカメラ本体１０ａはデジタルカメラ１０のメーカ（たとえばシャープ株式会社）側の再使用拠点４０２へ回収され、循環生産工場４０１へ送られる。そこで、バッテリ２０、外観、デジタルカメラ本体１０ａのカメラ基本性能、レンズ１１等の検査を行なった後、メモリ１８の内容をクリアし、外装部１０ｂを交換して新しいパスワードを記録して再出荷する。
【００３６】
検査で不合格の場合はデジタルカメラ本体１０ａは分解され、上下キャビネット２２，２３はリサイクルされる。再使用できる部品（ＣＣＤ１２、シャッタ１６、基板２１）等は検査、洗浄後再使用される。
【００３７】
出荷されたデジタルカメラ１０は再使用拠点４０２、集配センタ３５０を経て、コンビニエンスストア等の販売店３００へ送られる。
【００３８】
なお、集配センタ３５０はコンビニエンスストア等の販売店３００が兼ねても良い。
【００３９】
次に、具体的な画像データの流れについて説明する。図６は具体的な画像データの流れを示す模式図である。
【００４０】
図６を参照して、デジタルカメラ１０の回収センタとなる集配センタ３５０には、伝送装置３０が設けられている。伝送装置３０は、ユーザがデジタルカメラ１０で撮影した画像データをインターネットのようなネットワーク１００を介してＳＳＴのような画像ステーション５０へ送信する装置である。
【００４１】
集配センタ３５０では、返却されたデジタルカメラ１０を受取った後、伝送装置３０を介して画像データを画像ステーション装置５０に送信する。
【００４２】
伝送装置３０は、デジタルカメラ１０と接続してデジタルカメラ１０からの画像を受信する端末部３７と、ネットワーク１００に対して端末３７を介して入力した画像データを画像ステーション装置５０に送信するモデム３６と、デジタルカメラ１０で撮影した画像データを一時ストアするハードディスク３８と、伝送装置３０全体を制御するＣＰＵ３１とを含む。伝送装置３０には、上記要素以外に通常のキーボード３５や、表示部３３や、プリンタ３４が設けられる。これらの要素はＩ／Ｏインターフェイス３２を介して相互に接続される。
【００４３】
図７はデジタルカメラ１０と伝送装置３０との接続状態を示す模式図である。図７を参照して、デジタルカメラ１０の伝送端末１９と伝送装置３０の端末部３７とがたとえばプラグとジャックを用いて電気的に接続され、この接続を介してデジタルカメラ１０のメモリ１８に記憶された撮影データがネットワーク１００を介して画像ステーション装置に送られる。
【００４４】
この接続に用いられるプラグとジャックの形状は、周知の小型化されたプラグ、いわゆるミニプラグ（ＥＩＡＪ  ＲＣ−６７０１Ａ規格）に適合するような形状とされて、デジタルカメラ１０の伝送端末１９と伝送装置３０の端末部３７とに搭載されるものとする。
【００４５】
なお、図７においては、伝送装置３０における画像の伝送にあまり関与しない要素については省略している。
【００４６】
デジタルカメラ１０から伝送装置３０への送信時には、次のようなデータが送信される。すなわち、送信日時、送信者名、送信店名、デジタルカメラ１０の番号（撮影画像を公開するホームページアドレスと同じ番号）、パスワード（公開アドレスに対応した暗証番号）、個々の画像データが何枚目のデータであるかを示すデータ、を送信する。なお、このデータとしては、画像データに限らず、撮影時に音声等を録音した場合には、音声等のデータを送信してもよい。
【００４７】
また、フラグ情報を送信してもよい。ここでフラグ情報とは、販売地域識別コードや不正分解フラグや、不正接続フラグや、使用履歴情報等の情報をいう。ここで販売地識別コードとは、デジタルカメラ１０が販売される地域の情報を書込んであるコードをいい、不正分解フラグは、ユーザがデジタルカメラ１０を不正に分解したときにセットされるフラグであり、不正接続フラグはユーザの不正接続があった場合に設定されるフラグであり、使用履歴情報は、バッテリの通電時間、撮影枚数等を記憶する。これらのフラグの詳細については後述する。
【００４８】
図６に戻って、次に画像ステーション装置５０について説明する。画像ステーション装置５０は、画像ステーション装置５０全体を制御するＣＰＵ５１と、ネットワーク１００とデータの送受信を行なうモデム５６と、表示部５３と、キーボード５５と、プリンタ５４と、ネットワーク１００を介して入力された画像データをストアするハードディスク５７と、これら要素を相互に接続するＩ／Ｏインターフェイス５２とを含む。
【００４９】
インターネットを介して受信したデジタルカメラ１０で撮影した画像データはハードディスク５７にデジタルカメラ１０のパスワードと関連して所定のアドレスに記憶される。
【００５０】
なお、伝送装置３０においてデジタルカメラ１０で撮影された画像データを一旦ハードディスク３８に記憶し、購入したユーザからのニーズに応じて撮影した画像データを表示部３３に表示して必要に応じてプリンタ３４を用いて画像をプリントしてもよい。
【００５１】
画像ステーション装置５０においては、表示部５３やプリンタ５４が設けられているため、ユーザが画像ステーション装置５０に行った場合にその要求に応じて表示部５３に表示したりプリンタ５４を用いて画像をプリントしてもよい。
【００５２】
次にユーザが購入したデジタルカメラ１０を用いて撮影した画像を閲覧する方法について説明する。
【００５３】
図６を参照して、ユーザはネットワーク１００に接続されたユーザパソコン６０を用いて画像ステーション装置５０にアクセスし、自分が撮影した画像を閲覧する。
【００５４】
ユーザパソコン６０は、ユーザパソコン６０全体を制御するＣＰＵ６１と、表示部６３と、ネットワーク１００に接続するためのモデム６４と、プリンタ６５と、ハードディスクのような記憶装置６６と、これらを相互に接続するＩ／Ｏインターフェイス６２とを含む。
【００５５】
ユーザはユーザパソコン６０を介してインターネットのようなネットワーク１００においてＵＲＬを指定して画像ステーション装置５０にアクセスする。
【００５６】
なお、ユーザは予めコンビニエンスストア等の販売店３００にデジタルカメラ１０を返却したときに、図１（Ｂ）で説明した画像ステーション装置５０のあるホームページアドレスのＵＲＬおよびパスワードをスクラッチして知っているものとする。
【００５７】
図８はそれらのデータを用いてインターネットにアクセスしたときのユーザパソコン６０における表示部６３の表示内容を示す図である。（Ａ）は画像ステーション装置５０へアクセスしたときの表示内容を示す。図８（Ａ）に表示するように、このような回収に適したデジタルカメラにおける画像表示サービスを、フォトネットサービスと呼ぶものとする。ユーザがユーザパソコン６０を用いて画像ステーション装置５０にアクセスしたときは、カメラの回収日や回収した店等の特定データが表示される。ここでユーザは自分の用いたデジタルカメラ１０が画面上に表示されたものと同一であるときは画面上のＯＫをクリックする。すると次に図８（Ｂ）の画面が表示される。ここで先に説明したパスワードを入力しＯＫをクリックする。
【００５８】
画像ステーション装置５０においては、パスワードが正しく入力されたときは、そのパスワードに関連してストアしたハードディスク５７の特定のアドレスにアクセスしてその部分にストアされた画像データをネットワーク１００を介してユーザパソコン６０の表示ブロック１３に表示する。
【００５９】
ユーザによるインターネットアクセスが行なわれると、撮影した画像の一覧が表示される。その状態で撮った画像の編集やダウンロード、合成画サービス等の各種サービスへ移行できる。
【００６０】
図９はパスワードが正しく入力されたときのユーザパソコン６０の表示部６３に表示された写真の表示状態の一例を示す図である。
【００６１】
図９に示すように、１画面上に複数の画像が順に表示される。なお、これら画像をクリックすることにより、画像の拡大縮小やその他所望の加工を行なうようにしてもよい。
【００６２】
図１０はそのような写真加工サービスの画面の一例を示す図である。図１０に示すように、各写真に対してたとえばメッセージ入力や、観光地ワンポイント情報の入力や写真に基づくプリクラの作成等が可能になる。
【００６３】
なお、ここで観光地ワンポイント入力とは次のようなサービスをいう。すなわち、ユーザが購入したデジタルカメラ１０のメモリ１８にその購入地の情報が予め記憶されており、メモリ１８のその購入地の情報から、その購入地を特定することができるため、その情報を用いてその地域の有名な観光地を、撮影した画像の一部に表示するサービスをいう。
【００６４】
次に不正防止について説明する。これはユーザがデジタルカメラを不正に分解したときに制御部１４で行なわれる動作である。制御部１４は、ユーザが不正な分解を行なうと、次のような処理を行なう。
【００６５】
（１）  ユーザによる不正な分解をフォトトランジスタ（フォトインタプリタでも良い）１７で外光を検知することによって検知し、撮影したメモリ１８の内容を消去する。
【００６６】
（２）  ユーザによる不正な分解をフォトトランジスタ１７で外光を検知することにより検知し、不正分解フラグをメモリ１８上に立てる。このフラグは伝送装置への伝送時に情報として送信する。このデータはユーザによる不正使用があったことを警告または課金処理するために用いられる。この処理は伝送装置３０が設けられた集配センタ３５０で行なってもよいし、ユーザが画像ステーション装置５０へアクセスしたときに行なってもよい。
【００６７】
本不正後、ユーザがアクセス画像ステーション装置５０にアクセスしたときのユーザ側の表示画面の一例を図１１に示す。図１１（Ａ）は上記（１）に対応した表示画面であり、図１１（Ｂ）は上記（２）に対応した表示画面を示す。このようにカメラの不正分解があった旨を警告するとともに、画像を表示したい場合に課金処理を選択することになる。課金処理の方法としては、クレジットカードによる課金や、振込による方法など周知の方法で可能である。なお、本実施の形態に限定されず、警告のみ表示させ、画像は本来の画像を表示することも可能である。
【００６８】
次に不正防止の他の例について説明する。これはユーザがデジタルカメラ１０から撮影データを入手するために不正に伝送端末１９に接続を行なったときに制御部１４が行なう動作である。
【００６９】
この場合、次のような制御を行なう。
（１）  所定の通信確認手続を行ない、不正接続が判明した場合はメモリ１８の内容を消去する。
【００７０】
（２）  所定の通信確認手続を行ない、不正接続が判明した場合は、不正接続フラグをメモリ１８上に立てて、画像伝送時に情報として送信する。
【００７１】
上記通信確認手続の一例を図１２に示す。図１２において、伝送端末１９にフラグが挿入されることを検知すると（ステップＳ１１）、以下ステップを省略する）、端子に発生する電圧をチェックし、所定の電圧であるか否かを判断する（Ｓ１２）。異常がある場合は不正接続とみなし（Ｓ１５）、上記（１）または（２）の処理を実行する。所定プロトコルと判定されると（Ｓ１２でＯＫ、Ｓ１３、Ｓ１４）、以後所定の通信プロトコルにてデジタルカメラの撮影データを送信する。
【００７２】
（３）  正規の伝送端末につながれなかった場合や、正規の通信プロトコルでなかった場合に、不正接続フラグをメモリ１８上に立てて画像伝送時に情報として送信する。
【００７３】
次に通信プロトコルの判定について説明する。
図１３はデジタルカメラ１０の伝送端末１９と伝送装置３０との間の信号伝送のシーケンスを示す図である。プロトコルとしてＩＥＥＥ−１３９４規格が使用され、それに対応のノードの場合について説明する。デジタルカメラ１０の伝送端末１９のノードは既にプラグが挿入されており、伝送装置のノードから伝送路を介して信号を受信できる状態になっている。伝送端末１９のノードにおいてバスリセット信号などＩＥＥＥ−１３９４に従う信号が伝送装置のノードから受理されると、受信号について図示の無いプロトコル判定部でプロトコル判定が行なわれる。判定結果がＩＥＥＥ−１３９４に従うプロトコルであることを示せば、制御部１４はＩＥＥＥ−１３９４に従う応答動作を行なう。以降は両ノード間で１３９４に従う信号伝送シーケンスがスタートする。
【００７４】
上記した（２）および（３）の情報は、前述したようにユーザによる不正接続があったことを警告または課金処理を行なうために使用する。
【００７５】
本不正後、ユーザがアクセス画像ステーション装置５０にアクセスしたときのユーザ側の表示画面の一例を図１４に示す。図１４（Ａ）は上記（１）に対応した表示画面であり、図１４（Ｂ）は、上記（２）に対応した表示画面を示す。このようにカメラの不正接続があった旨を警告するとともに、画像を表示したい場合に課金処理を選択することになる。課金処理の方法としては、クレジットカードによる課金や、振込による方法など周知の方法で可能である。なお、本実施の形態に限定されず、警告のみを表示させ、画像は本来の画像を表示させることも可能である。
【００７６】
なお、スクラッチ式のパスワードは、デジタルカメラ１０の外装部１０ｂに設けることなくデジタルカメラ１０の購入時に、デジタルカメラ１０を包装する図示の無い、外装フィルム等に設けてもよい。また、外装フィルムとデジタルカメラの外装部１０ｂとに別々に設けてもよい。このようにすると、デジタルカメラ１０側は返却を受けた店側が保管し、外装フィルム側をユーザが自己の控えとして保管することができる。
【００７７】
また、省エネのためシャッタ１６の動作待ち時間をカウントし、所定時間が経過するとメインスイッチ１５を自動的にオフするような構成としてもよい。
【００７８】
パソコンやプリンタなどがないユーザのために、デジタルカメラ１０の販売、回収を行うコンビニエンスストアのような販売店３００や集配センタ３５０に画像ステーション５０に接続可能な画像表示用装置を設け、そこに画像ステーション５０から配送してもよい。
【００７９】
この場合、画像ステーション５０は任意の画像表示装置に画像の配信が可能であり、ユーザは所望のコンビニエンスストア等の販売店３００や集配センタ３５０にある画像表示装置で画像の閲覧が可能である。したがって、旅行先でデジタルカメラを購入して、撮影し、返却した場合に、自宅近くのコンビニエンスストア等の販売店３００や集配センタ３５０で撮影した画像の閲覧が可能である。
【００８０】
なお、上記実施の形態においては、デジタルカメラを例に挙げて説明したが、これに限らず、デジタルビデオカメラを用いてもよい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】デジタルカメラの外観を示す斜視図である。
【図２】デジタルカメラの内部構成を示す模式図である。
【図３】デジタルカメラの外部構成を示す模式図である。
【図４】デジタルカメラの要部を示すブロック図である。
【図５】この発明が適用されるデジタルカメラ回収システムの全体構成を示す模式図である。
【図６】この発明が適用されるデジタルカメラ回収システムにおける画像データの流れを説明する模式図である。
【図７】伝送装置とデジタルカメラの接続状態を示す模式図である。
【図８】画像ステーション装置へアクセスしたときの表示状態を示す図である。
【図９】撮影された画像が表示された状態を示す図である。
【図１０】写真加工サービスの表示画面を示す図である。
【図１１】不正処理後のユーザ側の表示画面の一例を示す図である。
【図１２】通信確認手続きの一例を示す図である。
【図１３】デジタルカメラと伝送端末との間のシーケンスを示す図である。
【図１４】不正処理後のユーザ側の表示画面の一例を示す図である。
【符号の説明】
１０  デジタルカメラ、１１  レンズ、１２  ＣＣＤ、１３  画像処理部、１４  制御部、１５  メインスイッチ、１６  シャッタ、１７  センサ、１８  メモリ、１９  伝送端末、２０  バッテリ、２１  基板、２２  上キャビネット、２３  下キャビネット、３０  伝送装置、３１  ＣＰＵ、３２  Ｉ／Ｏ、３３  ディスプレイ、３４  プリンタ、３５  キーボード、３６  モデム、３７  端末、３８  ハードディスク、５０  画像ステーション装置、５１  ＣＰＵ、５２  Ｉ／Ｏ、５３  ディスプレイ、５４  プリンタ、５５  キーボード、５６  モデム、５７  ハードディスク、６０  ユーザパソコン、６１  ＣＰＵ、６２  Ｉ／Ｏインターフェイス、６３  ディスプレイ、６４  モデム、６５  プリンタ、６６  ハードディスク。
【図１】
0003605008.tif 000002
【図２】
0003605008.tif 000003
【図３】
0003605008.tif 000004
【図４】
0003605008.tif 000005
【図５】
0003605008.tif 000006
【図６】
0003605008.tif 000007
【図７】
0003605008.tif 000008
【図８】
0003605008.tif 000009
【図９】
0003605008.tif 000010
【図１０】
0003605008.tif 000011
【図１１】
0003605008.tif 000012
【図１２】
0003605008.tif 000013
【図１３】
0003605008.tif 000014
【図１４】
0003605008.tif 000015